(57)【要約】【課題】オペレータがこれから運動負荷心電図検査を行おうという状態において、容易に被検者の前回検査結果を見ることができる運動負荷心電図検査装置を提供すること。【解決手段】検査モード中に表示する検査前の基本画面に、被検者の識別情報を表示する領域Ａ４と、前回検査結果を表示させるための操作領域Ａ５と、を表示し、オペレータによって前回検査結果を表示させるための操作領域Ａ５が操作されたときに、被検者の識別情報を表示する領域Ａ４に表示された被検者の前回検査結果Ｒ１を表示する。【選択図】図４
2018114238.tif 000002
【特許請求の範囲】
【請求項１】
運動負荷装置を制御する制御部と、
前記運動負荷装置から負荷を受けている被検者の心電図を取得する心電図取得部と、
表示部と、
オペレータの操作を受け付ける操作部と、
を有する運動負荷心電図検査装置であって、
前記表示部は、
検査モード中に表示する検査前の基本画面に被検者の識別情報を表示しているときに、前記操作部がオペレータから前回検査結果を表示させることを示す操作を受け付けた場合、前記表示している識別情報に対応する被検者の前回検査結果を表示する、
運動負荷心電図検査装置。
【請求項２】
前記表示部は、
前記検査モード中に表示する検査前の前記基本画面に、被検者の識別情報を表示する領域と、前回検査結果を表示させるための操作を行う操作領域と、を表示し、
オペレータによって前記前回検査結果を表示させるための操作を行う前記操作領域が操作されたときに、前記被検者の識別情報を表示する前記領域に表示された識別情報に対応する被検者の前回検査結果を表示する、
請求項１に記載の運動負荷心電図検査装置。
【請求項３】
前記表示部は、
前記検査前の基本画面に、被検者情報表示ウィンドウを呼び出すための操作領域を表示し、
オペレータによって前記被検者情報表示ウィンドウを呼び出すための操作領域が操作されたときに、前記検査前の基本画面上に被検者情報表示ウィンドウを表示し、
前記被検者情報表示ウィンドウには、前記被検者の識別情報を表示する領域と、前記前回検査結果を表示させるための操作を行う前記操作領域と、が含まれている、
請求項２に記載の運動負荷心電図検査装置。
【請求項４】
前記被検者情報表示ウィンドウには、さらに前記検査前の基本画面に戻るための操作を行う操作領域が含まれている、
請求項３に記載の運動負荷心電図検査装置。
【請求項５】
前記表示部が表示する前記前回検査結果は、今回の検査に対応する検査種別の前回検査結果である、
請求項１から請求項４のいずれか一項に記載の運動負荷心電図検査装置。
【請求項６】
前記表示部は、
前記前回検査結果を表示する画面と同一画面に、前記運動負荷装置に対する制御を変更する画面を呼び出すための操作領域を表示する、
請求項１から請求項５のいずれか一項に記載の運動負荷心電図検査装置。
【発明の詳細な説明】
【技術分野】
【０００１】
本発明は、過去の検査結果を呼び出し可能な運動負荷心電図検査装置に関する。
【背景技術】
【０００２】
運動負荷心電図検査は、運動で心臓に一定の負荷をかけて運動中及び運動直後の心電図を記録し、心電波形から心臓の病態を調べる検査である。運動負荷心電図検査を行うための運動負荷心電図検査システムについては、例えば特許文献１に記載されている。
【０００３】
運動負荷心電図検査システムにおいては、一般に、過去の検査結果を、運動負荷心電図検査装置本体や、当該装置本体とは別のサーバーなどの記録装置に記録しておき、オペレータの操作に応じて、表示部に表示させることができるようになっている。
【先行技術文献】
【特許文献】
【０００４】
【特許文献１】特開２０１３−１７３０４３号公報
【発明の概要】
【発明が解決しようとする課題】
【０００５】
ところで、オペレータは、これから検査を実施する被検者の前回の検査結果を見て、それを今回の検査の参考にしたいことがよくある。
【０００６】
負荷心電図検査装置が検査モードに設定されている状態において、これから検査を実施する被検者の前回の検査結果を運動負荷心電図検査装置の表示部に表示させる場合、オペレータは、先ず、負荷心電図検査装置を検査モードからデータ管理モードに遷移させる。次に、オペレータは、管理モードの画面において、被検者のＩＤなどの識別情報を入力することで当該被検者の過去の検査結果一覧を表示させる。次に、オペレータは、過去の検査結果一覧の中から前回検査結果を選択してこれを表示させる。
【０００７】
運動負荷心電図検査において、オペレータが被検者の前回検査における最大負荷量などの情報や発生したイベントなどの情報を事前に把握しておきたい要望は頻繁に発生するにもかかわらず、前回検査結果を表示させるためには上述したような手間のかかる操作が必要であった。
【０００８】
また、事前に紙に印刷された検査結果レポートを確認したり、事前にファイリングシステムや電子カルテで確認することで、被検者の前回検査結果を把握することも考えられるが、いずれも運動負荷心電図検査装置の表示画面とは別の媒体を見る必要があり、煩雑である。
【０００９】
本発明は、以上の点を考慮してなされたものであり、オペレータがこれから運動負荷心電図検査を行おうという状態において、容易に被検者の前回検査結果を見ることができる運動負荷心電図検査装置を提供する。
【課題を解決するための手段】
【００１０】
本発明の運動負荷心電図検査装置の一つの態様は、
運動負荷装置を制御する制御部と、
前記運動負荷装置から負荷を受けている被検者の心電図を取得する心電図取得部と、
表示部と、
オペレータの操作を受け付ける操作部と、
を有する運動負荷心電図検査装置であって、
前記表示部は、
検査モード中に表示する検査前の基本画面に被検者の識別情報を表示しているときに、前記操作部がオペレータから前回検査結果を表示させることを示す操作を受け付けた場合、前記表示している識別情報に対応する被検者の前回検査結果を表示する。
【発明の効果】
【００１１】
本発明によれば、オペレータがこれから運動負荷心電図検査を行おうという状態において、容易に被検者の前回検査結果を見ることができるようになる。
【図面の簡単な説明】
【００１２】
【図１】実施の形態に係る運動負荷心電図検査システムの外観図
【図２】実施の形態の運動負荷心電図検査装置の要部構成を示すブロック図
【図３】検査前の基本画面を示す図
【図４】被検者情報表示ウィンドウ表示画面を示す図
【図５】前回検査結果表示画面を示す図
【図６】検査中画面を示す図
【発明を実施するための形態】
【００１３】
以下、本発明の実施の形態を、図面を参照して説明する。
【００１４】
＜全体構成＞
図１は、本発明の実施の形態に係る運動負荷心電図検査システム１０の外観図である。運動負荷心電図検査システム１０は、運動負荷装置２０と、心電図などの生体情報の取得及び運動負荷装置２０の制御を行う心電図検査装置１００と、を有する。本実施の形態の場合、運動負荷装置２０としてトレッドミルが用いられているが、トレッドミルに代えてエルゴメータなどを用いてもよい。運動負荷心電図検査装置１００と運動負荷装置２０とは専用ケーブル３０によって接続されており、運動負荷装置２０は運動負荷心電図検査装置１００によって制御される。トレッドミルの場合、ベルトの回転速度及び傾斜が運動負荷心電図検査装置１００によって制御される。
【００１５】
運動負荷心電図検査装置１００は、装置本体１００ａと、ＬＣＤ（Liquid Crystal Display）からなるディスプレイ１０１と、キーボードやマウスなどからなる操作部１０２と、プリンタ１０３と、血圧計１０４と、を有する。
【００１６】
図２は、運動負荷心電図検査装置１００の要部構成を示すブロック図である。運動負荷心電図検査装置１００の制御部１１０は、運動負荷心電図検査装置１００の全体の動作を制御する。ディスプレイ１０１には、メニュー画面や各種の設定画面が表示される。また、ディスプレイ１０１には、心電波形及び計測値を含む検査結果などが表示される。
【００１７】
記憶部１１１は、ハードディスクドライブや半導体メモリなどにより構成される。記憶部１１１は、各被検者の心電波形のデータ及びその解析データを含む検査結果データなどを記憶する。つまり、記憶部１１１には、各被検者の過去の検査結果データ（検査結果レポート）が、各被検者に紐付けられて記憶される。ただし、この過去の検査結果データは、外部の記憶装置などに記憶されていてもよく、この場合、運動負荷心電図検査装置１００が外部の記憶装置から検査結果データを取得すればよい。
【００１８】
プリンタ１０３は、レーザ式やサーマルヘッド式などのプリンタであり、測定により得られた検査結果レポートなどを、オペレータによる指示に従ってプリントする。スピーカ１１２は、負荷検査モード時の喚起音などを発する。
【００１９】
また、心電図検査装置１００は、電極用インターフェース（Ｉ／Ｆ）１２２、血圧計用インターフェース（Ｉ／Ｆ）１２３及び運動負荷用インターフェース（Ｉ／Ｆ）１２４を有する。
【００２０】
電極用Ｉ／Ｆ１２２は、被検者（つまり、心電図計測の対象者）に装着される電極部（四肢用電極部及び胸部用電極部など）１３０に接続され、この電極部１３０から入力される測定電圧に増幅処理などを施して、演算部１２１に出力する。血圧計用Ｉ／Ｆ１２３は、血圧計１０４に接続され、血圧計１０４から入力される血圧値信号を演算部１２１に出力する。また、血圧計用Ｉ／Ｆ１２３は、血圧計１０４のカフに供給する圧力を制御するための制御信号を血圧計１０４に出力する。
【００２１】
演算部１２１は、心電図データ処理プログラムを実行することにより、心電波形の解析及び検査結果レポートの作成などを行う。
【００２２】
運動負荷用Ｉ／Ｆ１２４は、トレッドミルやエルゴメータなどの運動負荷装置２０に接続される。制御部１１０から運動負荷用Ｉ／Ｆ１２４を介して運動負荷装置２０に、運動負荷装置２０を駆動するための制御信号が出力される。また、運動負荷用Ｉ／Ｆ１２４を介して、運動負荷装置２０からのフィードバック信号が入力される。このフィードバック信号としては、例えば速度信号などがある。運動負荷心電図検査装置１００の制御部１１０は、運動負荷装置２０からフィードバックされる速度信号に基づいて、運動負荷装置２０を所望の速度に制御できる。
【００２３】
＜実施の形態による前回検査結果の表示＞
次に、本実施の形態による前回検査結果の表示について説明する。
図３は、負荷心電図検査装置１００が検査モードに設定されたときにディスプレイ１０１に表示される検査前の基本画面を示す。本実施の形態には、この基本画面に、被検者情報表示ウィンドウを呼び出すための操作領域Ａ１が含まれている。また、基本画面には、検査種別変更画面を呼び出すための操作領域Ａ２が含まれている。さらに、また基本画面には、負荷プロトコル変更画面を呼び出すための操作領域Ａ３が含まれている。
【００２４】
オペレータがマウス操作により操作領域Ａ２を操作すると、ディスプレイ１０１に検査種別変更画面が表示され、オペレータはこの検査種別変更画面において検査種別を設定できる。検査種別としては、負荷心電図検査、ＣＰＸ検査及びＴＷＡ検査などがある。
【００２５】
オペレータがマウス操作により操作領域Ａ３を操作すると、ディスプレイ１０１に負荷プロトコル変更画面が表示され、オペレータは、この負荷プロトコル変更画面において、予め設定されている複数の負荷プロトコルの中から今回の検査で実施する負荷プロトコルを選択できる。
【００２６】
オペレータが被検者情報表示ウィンドウを呼び出すための操作領域Ａ１を操作すると、図４に示すように、被検者情報表示ウィンドウＷ１が表示される。被検者情報表示ウィンドウＷ１には、被検者の識別情報を表示する被検者識別情報表示領域Ａ４と、前回検査結果を表示させるための操作を行う操作領域Ａ５と、が含まれている。さらに、被検者情報表示ウィンドウＷ１には、図３に示した検査前の基本画面に戻るための操作を行う操作領域Ａ６が含まれている。さらに、被検者情報表示ウィンドウＷ１には、ターゲットハートレート（ＴＨＲ）及び最大ハートレート（ＭＨＲ）が表示され、オペレータは被検者情報表示ウィンドウＷ１においてターゲットハートレート（ＴＨＲ）及び最大ハートレート（ＭＨＲ）を設定することができる。
【００２７】
オペレータが前回検査結果を表示させるための操作領域Ａ５を操作すると、被検者識別情報表示領域Ａ４に表示された被検者の前回検査結果Ｒ１（図５参照）が表示される。ここで、被検者識別情報表示領域Ａ４に表示される識別情報（被検者ＩＤ）は、オペレータによってキーボードを用いて入力されたものでもよく、例えばバーコードリーダーによって読み取られたものでもよい。
【００２８】
なお、操作領域Ａ５が操作されたときにどのような前回検査結果を表示するかは、予め設定可能である。図５の例では、前回検査結果として、前回の検査結果レポートが表示されているが、例えば、前回の検査時のイベントレポートが表示されるように設定することも可能である。
【００２９】
前回検査結果には、前回の負荷プロトコル、被検者が前回実行することができた最大負荷量（強度、時間）、負荷終了要因及び生体情報などが含まれる。
【００３０】
オペレータは、この前回検査結果から、当該被検者の前回検査時の最高心拍数、負荷時間、最大ＳＴ変化などの情報を把握することができ、これを今回の検査の参考にすることができる。オペレータは、被検者が前回の検査でどれだけ心拍数を上げることができたか、どれだけ負荷を上げることができたかなどを見て、それを参考に今回の負荷時間などを設定できる。
【００３１】
また、図５から分かるように、前回検査結果Ｒ１を表示する画面と同一画面に、負荷プロトコル変更画面を呼び出すための操作領域Ａ３が表示されるので、オペレータは前回検査結果Ｒ１を見て今回の負荷プロトコルを変更した場合に、少ない画面操作で負荷プロトコルを変更できるようになる。なお、図５の例では、前回検査結果Ｒ１を表示する画面と同一画面に、負荷プロトコル変更画面を呼び出すための操作領域Ａ３が表示しているが、負荷プロトコル変更画面を呼び出すための操作領域に限らず、要は、前回検査結果Ｒ１を表示する画面と同一画面に、運動負荷装置に対する制御を変更する画面を呼び出すための操作領域を表示すればよい。
【００３２】
図５の画面における「閉じる」で示された操作領域Ａ７が操作されると、前回検査結果Ｒ１が閉じられて、図４に示した画面に戻ることができる。
【００３３】
ここで、ディスプレイ１０１に、図３に示した検査前の基本画面、図４に示した被検者情報表示ウィンドウ表示画面、又は、図５に示した前回検査結果表示画面が表示されている状態において、オペレータがキーボードに割り当てられた検査開始キー（図示せず）を押圧操作すると、負荷心電図検査が開始され、ディスプレイ１０１には図６に示したような検査中画面が表示される。また、オペレータがキーボードに割り当てられた検査停止又は終了キー（図示せず）を押圧操作すると、負荷心電図検査が停止又は終了される。
【００３４】
以上説明したように、本実施の形態によれば、検査モード中に表示する検査前の基本画面に、被検者の識別情報を表示する領域Ａ４と、前回検査結果を表示させるための操作を行う操作領域Ａ５と、を表示し、オペレータによって前回検査結果を表示させるための操作を行う操作領域Ａ５が操作されたときに、被検者の識別情報を表示する領域Ａ４に表示された被検者の前回検査結果Ｒ１を表示するようにしたことにより、検査前の基本画面から容易に前回検査結果Ｒ１を表示させることができる。この結果、オペレータがこれから運動負荷心電図検査を行おうという状態において、容易に被検者の前回検査結果を見ることができるようになる。
【００３５】
つまり、検査のモードから抜けて、データ管理モードに入ってから、前回検査結果を表示させて、前回検査結果を確認してから、再び検査モードに戻るといった操作を行う場合と比較して、本実施の形態の表示を実行することで、容易に被検者の前回検査結果を見ることができる。本実施の形態によれば、検査モードの中で前回検査結果を表示し、確認したら直ぐに検査を開始することができる。
【００３６】
オペレータによって前回検査結果を表示させるための操作を行う操作領域Ａ５が操作されたときに表示される前回検査結果は、今回の検査に対応する検査種別の前回検査結果とすると、より好ましい。例えば、ある被検者に対して今回負荷心電図検査を行う場合、過去の検査結果として、ＣＰＸ検査の検査結果と負荷心電図検査の検査結果が記憶されおり、前回の検査がＣＰＸ検査であった場合、前回検査結果として、負荷心電図検査の検査結果を表示する。
【００３７】
上述の実施の形態は、本発明を実施するにあたっての具体化の一例を示したものに過ぎず、これらによって本発明の技術的範囲が限定的に解釈されてはならないものである。すなわち、本発明はその要旨、またはその主要な特徴から逸脱することの無い範囲で、様々な形で実施することができる。
【００３８】
上述の実施の形態では、被検者情報表示ウィンドウＷ１内に、前回検査結果を表示させるための操作を行う操作領域Ａ４を表示し、この操作領域Ａ４が操作されたときに識別情報に対応する被検者の前回検査結果を表示した場合について述べたが、本発明はこれに限らず、操作領域Ａ４の操作に代えて特定のハードキーが操作されたときに識別情報に対応する被検者の前回検査結果を表示するようにしてもよい。つまり、検査モード中に表示する検査前の基本画面に被検者の識別情報を表示しているときに、操作部がオペレータから前回検査結果を表示させることを示す操作を受け付けた場合、表示している識別情報に対応する被検者の前回検査結果を表示すればよい。
【産業上の利用可能性】
【００３９】
本発明は、過去の検査結果を呼び出し可能な運動負荷心電図検査装置に広く適用可能である。
【符号の説明】
【００４０】
１０  運動負荷心電図検査システム
２０  運動負荷装置
１００  心電図検査装置
１００ａ  装置本体
１０１  ディスプレイ
１０２  操作部
１０３  プリンタ
１０４  血圧計
１１０  制御部
１２１  演算部
Ａ１  被検者情報表示ウィンドウを呼び出すための操作領域
Ａ２  検査種別変更画面を呼び出すための操作領域
Ａ３  負荷プロトコル変更画面を呼び出すための操作領域
Ａ４  被検者の識別情報を表示する領域
Ａ５  前回検査結果を表示させるための操作領域
Ａ６  検査前の基本画面に戻るための操作領域
Ｒ１  前回検査結果
Ｗ１  被検者情報表示ウィンドウ
【図１】
2018114238.tif 000003
【図２】
2018114238.tif 000004
【図３】
2018114238.tif 000005
【図４】
2018114238.tif 000006
【図５】
2018114238.tif 000007
【図６】
2018114238.tif 000008